(57)【要約】      （修正有）【課題】  電池寿命を長く維持でき、待機時の消費電力を節約でき、構造が簡単で小型化を図れる自動点火非常用懐中電灯を提供する。【解決手段】  懐中電灯本体１は一つ又は複数の乾電池２，２を直列に収納する本体ケース部３と、本体ケース部３に連設されて照明用発光体４を収容する照明部６と、ホルダー１１は屋内の任意の場所に設置されて上記懐中電灯本体１の本体ケース部３を保持するホルダー本体１１ａと、ホルダー本体１１ａに横方向に張り出して設けられて開口部１０より乾電池２の極部２Ａ端面まで着脱自在に挿入される絶縁性の遮断片１４とからなり、上記遮断片１４の乾電池２に対向する両面には前記ホルダー本体１１ａに設けたリレー１６の二次側に接続される導体接触端子１５，１５を配設し、また上記リレー１６の一次側には屋内コンセントに接続するコード１８とプラグ１９とを設けた。【選択図】        図１
2006210085.tif 000002
【特許請求の範囲】
【請求項１】
懐中電灯本体と、当該懐中電灯本体を着脱自在に保持するホルダーとからなり、上記懐中電灯本体は一つ又は複数の乾電池を直列に収納する本体ケース部と、本体ケース部に連設されて照明用発光体を収容する照明部と、本体ケース部に上記乾電池の極部に対応して形成した開口部とを備え、上記ホルダーは屋内の任意の場所に設置されて上記懐中電灯本体の本体ケース部を保持するホルダー本体と、ホルダー本体に横方向に張り出して設けられて上記開口部より乾電池の極部端面まで着脱自在に挿入される絶縁性の遮断片とからなり、上記遮断片の乾電池に対向する両面には前記ホルダー本体に設けたリレーの二次側に接続される導体接触端子を配設し、また上記リレーの一次側には屋内コンセントに接続するコードとプラグとを設けたことを特徴とする自動点灯懐中電灯。
【請求項２】
乾電池を収納する本体ケース部と電球又は発光ダイオードからなる照明用発光体を収納する照明部からなる懐中電灯本体と、該懐中電灯本体を脱着可能に保持しながら屋内の任意の場所に設置するホルダーとから成り、上記ホルダーに設けた遮断片を前記本体ケース部に設けた開口部より挿入して前記乾電池と照明用発光体との電気的接続を分断させるようにし、さらに上記遮断片の電気的分断部両接触面には前記ホルダーに内設されたリレーの二次側に接続される導体接触端子を配設させると共に該リレーの一次側に屋内コンセントに接続するコードとプラグを設けたことを特徴とする自動点灯懐中電灯。
【請求項３】
前記ホルダーは前記懐中電灯本体の照明用発光体を収納する照明部を下向きに保持し、該照明部からの照射を遮蔽しない光透過性を有する無色又は有色材質からなる保持板を上記照明部に対向して設けたことを特徴とする請求項１又は請求項２に記載の自動点灯懐中電灯。
【請求項４】
前記ホルダーは前記懐中電灯本体の照明用発光体を収納する照明部を下向きに保持し、該照明用発光体を収納する照明部の光軸中心に合わせた光拡散用のレンズを上記照明部に対向して設けたことを特徴とする請求項１, 請求項２又は請求項３に記載の自動点灯懐中電灯。
【発明の詳細な説明】
【技術分野】
【０００１】
本発明は、屋内の廊下等の通路や室内の柱、壁面などに設置し、夜間の地震、火災などの停電時に自動点灯して照明すると共にその所在を明らかにする非常用懐中電灯に関する。
【背景技術】
【０００２】
従来、一般家庭やホテル、旅館などの宿泊施設には非常時に取り外して使用する為に壁面等にホルダーにて係止される懐中電灯を取り付けておき、地震、火災などの停電時には点灯操作、又は、この懐中電灯をホルダーより外すことにより自動点灯する非常用懐中電灯が良く知られている。
【０００３】
また、上記のごとき点灯操作を行ったり、係止されるホルダーから懐中電灯を取り外して点灯させる事なく、停電時に自動点灯するようホルダーに設けられた電磁石と懐中電灯本体に設けられた可動金属片スイッチを利用したもの（例えば、特許文献１参照）や可搬式懐中電灯本体に内蔵されたリレースイッチを利用したもの（例えば、特許文献２参照）が提案されている。
【特許文献１】特開平８―２４９９０２号公報
【特許文献１】特開平７―２１１１０１号公報
【発明の開示】
【発明が解決しようとする課題】
【０００４】
一般に、夜間の停電時、懐中電灯の備えがあっても暗闇の中ではその所在がわからず、直ぐには使用できない。
【０００５】
また、建物の壁や柱等の特定の場所に常備しておく前記のような非常用懐中電灯は、係止されたホルダーから懐中電灯を取り外してはじめて点灯する為、設置された場所にたどり着くまでは無灯状態であり、不慣れなホテル、旅館などの宿泊施設などの場合にはその所在すら不明である。
【０００６】
特に、地震、火事等の災害起因による停電では速やかな避難等の対応が求められ、無点灯のまま手探りで歩くのは非常に危険である。
【０００７】
上記のような事態を想定して、従来停電時に暗闇の中でもその所在がわかるように懐中電灯本体外周部に小さなLED（発光ダイオード）を設け、それを常時点灯させておくようにしたものも提案されているが、不要な時でも常時LEDランプ点灯用に電池電力が消費され、電池寿命が短くなる欠点があった。
【０００８】
また、前記特許文献１に示すように、ホルダーに設けられた電磁石と懐中電灯本体に設けられた可動金属片スイッチを利用したものでは、懐中電灯本体外装を介した間隔距離を経て収納された点灯スイッチとなる可動金属片をスプリングの自己収縮力に対抗して付勢開離させる為、電磁石に強い磁束を発生させる必要があり、待機時の消費電力が大きい事、構造が複雑になると共に長期間の待機状態を経過後の非常時に作用面で必ずしも信頼が得られないという問題が生じる。
【０００９】
さらに、特許文献２に示すように、可搬式懐中電灯本体に内蔵されたリレースイッチを利用したものでは、懐中電灯本体が専用大型化するなど緊急事態に作動した後での取扱い性の面で課題を残すと共に該懐中電灯本体に直接交流電源プラグを設けた構成の為、設置場所が電源コンセントのある場所に限定されるという問題があった。
【００１０】
そこで、本発明の目的は、従来の非常用懐中電灯と同様に安価に提供できる上、信頼性が高く、停電時には自動的に点灯し、その所在を容易に知らしめることができ、さらに、夜間の停電時に最も懸念される足元の照明が同時に得られるようにするものであって、特に、電池寿命を長く維持でき、待機時の消費電力を節約でき、待機状態の経過後の非常時において使用する時の信頼性が有り、構造が簡単で小型化を図れる自動点火非常用懐中電灯を提供することである。
【課題を解決するための手段】
【００１１】
上記の目的を達成する為、請求項１の発明は、懐中電灯本体と、当該懐中電灯本体を着脱自在に保持するホルダーとからなり、上記懐中電灯本体は一つ又は複数の乾電池を直列に収納する本体ケース部と、本体ケース部に連設されて照明用発光体を収容する照明部と、本体ケース部に上記乾電池の極部に対応して形成した開口部とを備え、上記ホルダーは屋内の任意の場所に設置されて上記懐中電灯本体の本体ケース部を保持するホルダー本体と、ホルダー本体に横方向に張り出して設けられて上記開口部より乾電池の極部端面まで着脱自在に挿入される絶縁性の遮断片とからなり、上記遮断片の乾電池に対向する両面には前記ホルダー本体に設けたリレーの二次側に接続される導体接触端子を配設し、また、上記リレーの一次側には屋内コンセントに接続するコードとプラグとを設けたことを特徴とする。
【００１２】
同じく、請求項２の発明は、乾電池を収納する本体ケース部と電球又は発光ダイオードからなる照明用発光体を収納する照明部からなる懐中電灯本体と、該懐中電灯本体を脱着可能に保持しながら屋内の任意の場所に設置するホルダーとから成り、上記ホルダーに設けた遮断片を前記本体ケース部に設けた開口部より挿入して前記乾電池と照明用発光体との電気的接続を分断させるようにし、さらに上記遮断片の電気的分断部両接触面には前記ホルダーに内設されたリレーの二次側に接続される導体接触端子を配設させると共に該リレーの一次側に屋内コンセントに接続するコードとプラグを設けたことを特徴とする。
【００１３】
上記の構成において、前記ホルダーは前記懐中電灯本体の照明用発光体を収納する照明部を下向きに保持し、該照明部からの照射を遮蔽しない光透過性を有する無色又は有色材質からなる保持板を上記照明部に対向して設けてもよい。
【００１４】
同じく、前記ホルダーは前記懐中電灯本体の照明用発光体を収納する照明部を下向きに保持し、該照明用発光体を収納する照明部の光軸中心に合わせた光拡散用のレンズを上記照明部に対向して設けてもよい。
【発明の効果】
【００１５】
かかる発明によれば、非常時に携帯利用する懐中電灯本体は、前記の従来より知られる非常時に取り外して使用するために壁面等にホルダーにて係止される非常用懐中電灯と同一の構造構成にすることができる為、構造が簡単で、小型化を図れ、安価に提供できる。
【００１６】
また、必要最小限の信頼性の高い構成により停電時には自動的に点灯し、その所在を容易に知らしめる事ができる。
【００１７】
さらに、夜間の停電時に最も懸念される足元の照明が同時に得られる為、迅速な設置場所の確認と懐中電灯の確保が可能となる。
【００１８】
特に、本発明によれば、停電と同時に自動的に点灯し、その所在を明らかにしている懐中電灯を設置場所から取り外し、特段の操作を必要とせずにそのまま照明器具として使用したまま避難できる。
【００１９】
また、ホテルや旅館等の宿泊設備利用中の被災による停電などの場合、暗闇の中でその所在を明らかにすると共に周辺の足元を照明する事は非常に効果的である。
【００２０】
更に又、初めて当該懐中電灯を手にした者であっても容易に使用できることができる。
【００２１】
さらには、一般的に非常時以外には利用しない為、長期間の待機状態を経過後の非常時でも確実に作用する信頼性があり、可能な限り複雑な構造構成を排除して経時的原因による接点不良等の故障を起こさず、これは、同時に安価な製造、供給にも繋がることになる。
【発明を実施するための最良の形態】
【００２２】
以下、本発明の実施の形態を図１乃至図３に基づいて説明するが、本発明の一実施の形態に係わる自動点火懐中電灯は、図１に示すように、懐中電灯本体１と、当該懐中電灯本体１を着脱自在に保持するホルダー１１とからなっている。
【００２３】
そして、上記懐中電灯本体１は、一つ又は複数の乾電池２，２を直列に収納する本体ケース部３と、本体ケース部３に一体または着脱自在に連設されて照明用発光体４を収容する照明部６と、本体ケース部３に上記乾電池２のプラス側極部２Ａに対応して形成した開口部１０とを備えている。
【００２４】
但し、この開口部１０は、乾電池２の通電を阻止する部位に対応して設けておけば良く、例えば、後述するスプリング９と乾電池２のマイナス側極部との間に対応して設けても良い。
【００２５】
上記ホルダー１１は、屋内の任意の場所に設置されて上記懐中電灯本体１の本体ケース部３を保持するホルダー本体１１ａと、ホルダー本体１１ａに横方向に張り出して設けられて上記開口部１０より乾電池２の極部２Ａ端面又はスプリング９の端面まで着脱自在に挿入される絶縁性の遮断片１４とからなっている。
【００２６】
上記遮断片１４の乾電池２に対向する両面には、前記ホルダー本体１１ａに設けたリレー１６の二次側に接続される導体接触端子１５，１５を配設し、また、上記リレー１６の一次側には、屋内コンセントに接続するコード１８とプラグ１９とを設けている。
【００２７】
以下、図１乃至図３を参照してより詳しく説明するが、図面において同一構造のものは同一符号で統一する。
【００２８】
図１は、自動点灯非常用懐中電灯の断面図であり、図２は、平常時待機状態、即ち、懐中電灯が消灯状態の回路図であり、図３は、停電における使用時、即ち、懐中電灯が点灯状態となり、係止されていたホルダーから引き抜かれた状態の回路図である。
【００２９】
図１において、携帯に供する懐中電灯本体１は、乾電池２を収納する本体ケース部３と、本体ケース部３の下端に一体に設けられて電球又はLED等の照明用発光体４及び反射鏡５等が設けられた照明部６より構成され、該照明部６の終端には一般的な懐中電灯同様に照射対象に光りが収束できるように集光用レンズ７が設けられている。
【００３０】
また、本体ケース部３の上端には乾電池２の出し入れのための開閉蓋８及び電気的接続のためのスプリング９が配設され、さらに、本体ケース部３の側面の一部には開口部１０が設けられている。
【００３１】
この際、図中では、金属外装、即ち、本体ケース部３や開閉蓋８等が導電性金属よりなる前提で図示しているが、樹脂成形材によりこれらを構成し、別途スプリング９より照明用発光体４に至る導体材を内設する構造としても良い。
【００３２】
屋内の壁面や柱等の特定の場所に木ネジ等（図示せず）により設置固定して前記懐中電灯本体１を常備しておくための樹脂成形材等によりなるホルダー１１には、下端に光透過性を有する材質からなる保持板１２及び上端に係止片１３が配設され、保持板１２と係止片１３とで懐中電灯本体１を挟持している。
【００３３】
但し、ホルダー本体１１に別の支持片又は上下の抱持片１１ｂ，１１ｂを設けて懐中電灯本体の本体ケース部３を抱き込んで支持しても良い。
【００３４】
更に、前記懐中電灯本体１が係止される際、該ホルダー１１の係止面より突出した構造の遮断片１４が前記本体ケース部３の開口部１０より乾電池２の極部２Ａの端面まで挿入され、直列接続された乾電池２，２の電気的接続を分離することなる。
【００３５】
この時、挿入された遮断片１４の厚み分は、前記開閉蓋８に配設された電気的接続のためのスプリング９が圧縮して吸収すると共に懐中電灯本体１の係止保持力としても働く。
【００３６】
また、本体ケース部３の開口部１０より挿入される前記遮断片１４は、前記ホルダー１１同様合成樹脂等の絶縁体によりなり、乾電池２の両極に接触する面には各々独立配設した導体接触端子１５が配設されている。
【００３７】
この為、導体接触端子１５は、乾電池２の各極と電気的接続を成すと共にホルダー１１に内設されたリレー１６の二次側に接続されている。
【００３８】
さらに、該リレー１６の一次側は、ヒユーズ１７等の過電流防止手段を介して直接電源コード１８及びプラグ１９に至り、屋内コンセント（図示せず）に接続される構成となっている。
【００３９】
なお、図１において、電源コード１８は、図示説明を容易にするためホルダー１１の背面（設置面）から外部へ出しているが、実際には、側面等設置が容易になる個所が望ましい。
【００４０】
図２は、図１の場合と同じく、平常待機状態、即ち、ホルダー１１に懐中電灯本体１が保持され、屋内コンセントに商用電力が供給されている状態での回路図を示しており、プラグ１９より供給される微少電力により前記ホルダー１１に内蔵されたリレー１６が遮断片１４に配設された導体接触端子１５間の接続を遮断状態に保持しており、懐中電灯本体１の照明用発光体４は、消灯状態となっている。
【００４１】
この際、懐中電灯本体１内の乾電池２の電力は、全く消費されず、リレー１６を切断状態に保持するために消費される商用電力も、例えば、オムロン社製パワーリレーG2R-1を使用した場合で0.5 W程度と非常に微少である。
【００４２】
停電時には、図３のリレー１６における回路に示すように、プラグ１９を介して供給されていた微少電力が切れる事によりリレー１６内の接片が動作して導体接触端子１５間の接続を導通状態にし、これにより、上下の乾電池２，２が導体接触端子１５，１５を介して電気的に接続され、懐中電灯本体１の照明用発光体４が点灯状態となる。
【００４３】
他方、ホルダー１１に懐中電灯本体１に保持された状態での停電自動点灯時には、該懐中電灯本体１の照明部６が下向きであり、かつ、ホルダー１１の下端に光透過性を有するABS又はポリカーボネイト等の合成樹脂材質からなる保持板１２を設けたことにより、上記照明用発光体４の点灯が該保持板１２の端面を発光させ、その設置所在を容易に知らしめることができる。
【００４４】
この際、上記光透過材に黄色、橙色の染料を添加し目視性の向上させることも容易にできる。
【００４５】
さらに、懐中電灯本体１照明部６に設けられた集光用レンズ７光軸中心に合わせた適度な光拡散用のレンズ２０を設けた保持板１２を設定することにより、夜間の停電時に最も懸念される床面及び、足元の照明が同時に得られる。
【００４６】
そして、この状態で懐中電灯本体１をホルダー１から引き抜き出すとそのまま照明用発光体４点灯したまま懐中電灯単体として使用できる。
【００４７】
即ち、図３は、停電自動点灯時に懐中電灯本体１をホルダー１１から引き抜いた状態での回路図を示しており、既に屋内コンセントから商用電力の供給が停止しているためリレー１６は、内部の接片が動作して導体接触端子１５間の接続を導通状態にしている。
【００４８】
この状態で、点灯状態の懐中電灯本体１をホルダー１１から引き抜くと、本体ケース部３の開口部１０より挿入され、直列接続された乾電池２，２の接続を物理的に分離していた遮断片１４が無くなり、瞬時にスプリング９の復元力によって乾電池２が直接接続して点灯状態を維持し続けることとなる。
【００４９】
この図からも明らかなように、リレー１６の一次側と二次側は、回路的に独立しているために、停電回復時（商用電源通電時）になっても遮断片１４に配設された導体接触端子１５に商用電源電圧は印加されておらず、感電の危険も無く、点灯状態の懐中電灯本体１をホルダー１１に差し戻すだけで猥雑な設定無しで初期の平常待機状態に戻すことができる。
【図面の簡単な説明】
【００５０】
【図１】本発明の一実施の形態に係わる自動点灯非常用懐中電灯の縦断側面図である。
【図２】平常待機状態及び、懐中電灯が消灯状態の回路図である。
【図３】停電時係止されていたホルダーから引き抜かれた状態の回路図である。
【符号の説明】
【００５１】
１  懐中電灯本体
２  乾電池
２Ａ  極部
３  本体ケース部
４  照明用発光体
５  反射鏡
６  照明部
７  集光用レンズ
８  開閉蓋
９  スプリング
１０  開口部
１１  ホルダー
１１ａ  ホルダー本体
１２  保持板
１３  係止片
１４  遮断片
１５  導体接触端子
１６  リレー
１７  ヒューズ
１８  コード
１９  プラグ
２０  光拡散用レンズ
【図１】
2006210085.tif 000003
【図２】
2006210085.tif 000004
【図３】
2006210085.tif 000005